(57)【要約】【課題】分電盤の小型化が図れ、且つ施工工数を低減できる遠隔監視制御システムの操作端末器を提供する。【解決手段】遠隔監視制御システムの操作端末器は、画面上に操作ボタンを表示させる表示パネルと、上記操作ボタンの操作入力を受け付けるための操作入力部と、操作入力に応じて監視データを含む伝送信号を送信する通信回路１１と、信号線Ｌｓを介して入力される伝送信号から内部電源を生成する電源回路１０Ａと、外部に設けられたリモコントランス１４０を介して供給される電源から内部電源を生成する電源回路１０Ｂと、操作に応じて電源回路１０Ａ，１０Ｂの何れか一方に電源を切り替える切替スイッチ８とを備える。【選択図】図１
2010232913.tif 000002
【特許請求の範囲】
【請求項１】
それぞれアドレスが設定された操作端末器および制御端末器を２線式の信号線を介して伝送ユニットに接続し、時分割多重の伝送信号にてデータの送受信を行い、伝送ユニットは、アドレスデータを含む伝送信号を信号線に送出することによって操作端末器および制御端末器を個別にアクセスし、伝送信号に同期して設定した信号返送期間に監視入力のあった操作端末器からの監視データを受信すると、監視データに基づいて制御データを作成し、監視データを発生した操作端末器とアドレスによる対応関係が予め設定されている制御端末器に対して制御データを伝送する遠隔監視制御システムに用いられる操作端末器であって、画面上に操作ボタンを表示させる表示パネルと、前記操作ボタンの操作入力を受け付けるための操作入力部と、操作入力に応じて監視データを含む伝送信号を送信する伝送通信部と、信号線を介して入力される伝送信号から内部電源を生成する第１の電源回路部と、外部に設けられたリモコントランスを介して供給される電源から内部電源を生成する第２の電源回路部と、操作に応じて第１または第２の電源回路部の何れか一方に電源を切り替える電源切替手段とを備えることを特徴とする遠隔監視制御システムの操作端末器。
【請求項２】
前記第１の電源回路部は、前記信号線を介して入力される伝送信号から生成した直流電源を降圧する抵抗ドロップ回路と、抵抗ドロップ回路により降圧された直流電源を所定電圧値の直流電源に変換するレギュレータ回路と、前記伝送信号から生成した直流電源の電圧レベルを検出し、検出した電圧レベルが所定の閾値よりも小さい場合には前記抵抗ドロップ回路のドロップ抵抗のインピーダンス値を、前記電圧レベルが所定の閾値以上である場合に比べて低いインピーダンス値に切り替えるインピーダンス切替手段とを備えることを特徴とする請求項１記載の遠隔監視制御システムの操作端末器。
【発明の詳細な説明】
【技術分野】
【０００１】
本発明は、遠隔監視制御システムに用いられる操作端末器に関するものである。
【背景技術】
【０００２】
スイッチのオン／オフ情報を含む伝送信号を信号線により伝送し、この伝送信号に応じてリレーを開閉することによって負荷をオン／オフさせる遠隔監視制御システムが従来から提供されている。
【０００３】
この種の遠隔監視制御システムとしては、スイッチを具備する操作端末器と、負荷への電源を入／切するリレーを具備する制御端末器とを端末装置として備えるとともに、伝送ユニットをセンタ装置として備える集中制御型のものがあり、これらの伝送ユニット、操作端末器および制御端末器は２線式の信号線に接続されている。そして、伝送ユニットは、操作端末器および制御端末器に個別に設定された端末アドレスを用いて各端末器を識別できるようになっている。
【０００４】
また、伝送ユニットが備えるメモリには、操作端末器と制御端末器とをアドレスによって対応付けたデータテーブルが格納されており、何れかの操作端末器のスイッチのオン／オフ情報が伝送信号により伝送されると、伝送ユニットは上記データテーブルにより当該操作端末器に対応付けられた制御端末器に対して、リレーを開閉させる指示を伝送信号により伝送する。そして、上記伝送信号により動作指示を受けた制御端末器では指示内容に応じてリレーが開閉され、負荷への電源が入／切される。
【０００５】
また、上述した遠隔監視制御システムに用いられる操作端末器として、複数の負荷を監視制御対象として通信コマンドを伝送する通信回路と、液晶表示器よりなる表示パネルと、表示パネルの画面に重ねて配置された透明なタッチスイッチからなる操作入力部とを備え、表示パネルの表示内容に関連付けられている操作入力部の操作入力に応じた負荷制御および負荷状態に応じた画面表示を行うものも提案されている（例えば特許文献１参照）。
【０００６】
この操作端末器は、表示パネルの表示内容（画面表示）および操作入力部の操作に対応する応答（負荷制御）に関して任意に設定可能であるから、設定内容に応じて操作入力部に種々の機能を持たせることができる。しかも、操作入力部の機能に合わせて表示パネルの表示内容を変更することができるから、限られたスペースで多機能の操作が可能になり、多数の負荷を操作する場合であっても操作端末器の占有スペースを小さくすることができる。
【先行技術文献】
【特許文献】
【０００７】
【特許文献１】特開平１０−２４３４７８号公報
【発明の概要】
【発明が解決しようとする課題】
【０００８】
上述の特許文献１に示した操作端末器では、液晶表示器からなる表示パネルを用いているので、上述した前者の操作端末器のようにスイッチを備えたものに比べて大きな内部電源が必要であり、この内部電源を確保するためにはリモコントランスを用いる必要があった。そして、このリモコントランスは分電盤などの筐体に組み込まれることになるから、分電盤にはリモコントランスを配置するためのスペースが必要になり、そのため分電盤が大型化するという問題があった。また、リモコントランスへの入力電源（ＡＣ１００Ｖ）用の電源線を分電盤内に引き込む必要もあり、そのため施工工数も増加するという問題があった。
【０００９】
本発明は上記問題点に鑑みて為されたものであり、その目的とするところは、分電盤の小型化が図れ、且つ施工工数を低減できる遠隔監視制御システムの操作端末器を提供することにある。
【課題を解決するための手段】
【００１０】
請求項１の発明は、それぞれアドレスが設定された操作端末器および制御端末器を２線式の信号線を介して伝送ユニットに接続し、時分割多重の伝送信号にてデータの送受信を行い、伝送ユニットは、アドレスデータを含む伝送信号を信号線に送出することによって操作端末器および制御端末器を個別にアクセスし、伝送信号に同期して設定した信号返送期間に監視入力のあった操作端末器からの監視データを受信すると、監視データに基づいて制御データを作成し、監視データを発生した操作端末器とアドレスによる対応関係が予め設定されている制御端末器に対して制御データを伝送する遠隔監視制御システムに用いられる操作端末器であって、画面上に操作ボタンを表示させる表示パネルと、操作ボタンの操作入力を受け付けるための操作入力部と、操作入力に応じて監視データを含む伝送信号を送信する伝送通信部と、信号線を介して入力される伝送信号から内部電源を生成する第１の電源回路部と、外部に設けられたリモコントランスを介して供給される電源から内部電源を生成する第２の電源回路部と、操作に応じて第１または第２の電源回路部の何れか一方に電源を切り替える電源切替手段とを備えることを特徴とする。
【００１１】
請求項２の発明は、第１の電源回路部は、信号線を介して入力される伝送信号から生成した直流電源を降圧する抵抗ドロップ回路と、抵抗ドロップ回路により降圧された直流電源を所定電圧値の直流電源に変換するレギュレータ回路と、伝送信号から生成した直流電源の電圧レベルを検出し、検出した電圧レベルが所定の閾値よりも小さい場合には抵抗ドロップ回路のドロップ抵抗のインピーダンス値を、電圧レベルが所定の閾値以上である場合に比べて低いインピーダンス値に切り替えるインピーダンス切替手段とを備えることを特徴とする。
【発明の効果】
【００１２】
請求項１の発明によれば、同じ信号線に接続される他の端末器での消費電流が小さい場合には、信号線を介して入力される伝送信号から本操作端末器に必要な内部電源を生成することができるので、この場合には本操作端末器に電源を供給するためのリモコントランスが不要になり、その結果リモコントランスを配置するためのスペース確保が不要になるとともに、リモコントランスへの電源線を引き込む作業も不要になるから、分電盤の小型化が図れるとともに施工工数を低減することができる。また、同じ信号線に接続される他の端末器での消費電流が大きく、信号線を介して入力される伝送信号からは本操作端末器に必要な内部電源が生成できない場合であっても、電源切替手段によってリモコントランスによる電源供給に容易に切り替えることができる。さらに、既存のシステムに対して本操作端末器に交換する場合において、例えばリモコントランス用の電源線が引き込まれていなくても、電源切替手段によって伝送信号からの電源供給に切り替えることで置き換えも容易に行うことができるという効果がある。
【００１３】
請求項２の発明によれば、第１の電源回路部では、抵抗ドロップ回路のドロップ抵抗における熱損失と、レギュレータ回路における熱損失とのバランスを取ることによってトータルの熱損失を低減できるように上記ドロップ抵抗の抵抗値が設定されているが、例えば伝送ユニットから本操作端末器までの距離が長く、その間の配線抵抗によって本操作端末器に入力される伝送信号の信号レベルが低下した場合には、上記ドロップ抵抗のインピーダンス値を相対的に低いインピーダンス値に切り替えることで、同様に熱損失の低減を図りつつレギュレータ回路への入力電流の低下を抑えることができるので、本操作端末器に必要な所望の内部電源を確保することができるという効果がある。
【図面の簡単な説明】
【００１４】
【図１】実施形態１の操作端末器における主要部の概略ブロック図である。
【図２】同上の概略ブロック図である。
【図３】同上の外観斜視図である。
【図４】同上に用いられる表示パネルの表示例である。
【図５】（ａ）（ｂ）は同上への電源の接続例である。
【図６】実施形態２の操作端末器における主要部の回路図である。
【図７】実施形態１，２の操作端末器が用いられる遠隔監視制御システムのシステム構成図である。
【発明を実施するための形態】
【００１５】
以下に本発明に係る操作端末器の実施形態を図面に基づいて説明する。図７は本発明に係る操作端末器１を用いた遠隔監視制御システムのシステム構成図であり、この遠隔監視制御システムでは、伝送ユニット１００に接続された２線式の信号線Ｌｓに本発明に係る操作端末器１と、対応する負荷Ｌの動作状態を切り替えるための切替スイッチＳ１を備える他の操作端末器１１０と、制御端末器１２０とが分岐接続（マルチドロップ接続）されている。制御端末器１２０は、商用交流電源ＡＣから負荷Ｌへの給電を入／切するためのラッチング型のリモコンリレー１３０を制御するものである。また、上記の操作端末器１，１１０および制御端末器１２０にはそれぞれアドレスが設定されており、伝送ユニット１００はこのアドレスを用いて操作端末器１，１１０および制御端末器１２０を識別する。
【００１６】
なお、図７中の１４０は、リモコンリレー１３０や制御端末器１２０、操作端末器１の動作用電源（ＡＣ２４Ｖ）を商用交流電源ＡＣから生成して供給するリモコントランスであり、伝送ユニット１００や制御端末器１２０などとともに図示しない分電盤に組み込まれる。すなわち、上記の分電盤にはリモコントランス１４０を配置するスペースが必要であるとともに、リモコントランス１４０に商用交流電源ＡＣを供給するための電源線を引き込む必要がある。
【００１７】
この遠隔監視制御システムでは、例えば双極性（±２４Ｖ）の時分割多重信号からなる伝送信号によりデータの送受信が行われるようになっており、伝送ユニット１００からはサイクリックに変更されるアドレスデータを含む伝送信号が信号線Ｌｓに定期的に送出される。一方、操作端末器１，１１０および制御端末器１２０では、上記伝送信号に含まれるアドレスデータが自己に設定されたアドレスに一致すると、伝送信号に含まれる制御データを取り込むとともに、当該伝送信号の信号返送期間に監視データを電流モード信号（信号線Ｌｓの線間を開放した状態と低インピーダンスを挿入した状態とで表わされる電流変化による２値信号）で返送する。
【００１８】
次に、遠隔監視制御システムの動作について簡単に説明すると、例えば操作端末器１１０において切替スイッチＳ１の操作による監視入力が発生すると、操作端末器１１０は監視入力に対応する監視データを伝送ユニット１００に返送し、伝送ユニット１００では上記監視データを受信すると、対応する制御端末器１２０のアドレスデータおよび制御データを含む伝送信号を信号線Ｌｓに送出する。そして、制御端末器１２０では、この伝送信号に含まれるアドレスデータが自己に設定されたアドレスに一致すると、この伝送信号に含まれる制御データを取り込み、対応するリモコンリレー１３０に対して負荷制御信号を出力して負荷Ｌを制御する。なお、上記の遠隔監視制御システムは従来周知の技術であるから、ここでは詳細な説明は省略する。以下、本発明に係る操作端末器１について説明する。
【００１９】
（実施形態１）
本実施形態の操作端末器１は、図２に示すように、液晶表示器にバックライトを一体化した表示パネル２と、表示パネル２の画面（前面）に重ねて配置された透明な板状のタッチスイッチからなる操作入力部３とを備えている。表示パネル２には多数の画素を縦横にマトリクス状に配列したマトリクス表示型のものを用い、画素の組み合わせによって画面上に操作ボタンなどの図形が表示されるようになっている。操作入力部３は、透明なシート状部材に透明電極からなる接点部を多数個配列し、シート状部材に指などが触れた際にどの部位に触れたのかを出力する抵抗感圧方式のタッチスイッチであり、表示パネル２とともにタッチパネルディスプレイを構成する。
【００２０】
また、操作端末器１は、伝送ユニット１００に接続された信号線Ｌｓに接続され、上記の伝送信号を授受する通信回路（伝送通信部）１１を備えている。この通信回路１１は、メインマイコン１２にも接続されており、操作入力部３からの操作信号がメインマイコン１２に入力されると、メインマイコン１２は上記操作信号に応じた監視データを含む伝送信号を作成し、通信回路１１を介して信号線Ｌｓに送出する。ここにおいて、メインマイコン１２は、フラッシュメモリ１３に書き込まれているプログラムおよびデータに従って動作し、またフラッシュメモリ１３には、少なくとも操作端末器１としてのアドレスが書き込まれる。
【００２１】
さらに、メインマイコン１２は、表示パネル２の表示内容を指示するデータをラッチ回路１４を通して液晶コントローラ１５に出力する。液晶コントローラ１５は、ＤＲＡＭ１６に予め登録してあるデータを用いて表示パネル２の所定位置に所定の内容を表示する。また、メインマイコン１２は、操作入力部３の操作に応じてブザー１９を鳴動させる機能も有している。なお、表示パネル２のコントラストやバックライトの明るさは、メインマイコン１２がコントラスト調整部１７やバックライト用インバータ回路１８を制御することによって自動的に調節される。
【００２２】
ここにおいて、本実施形態の操作端末器１は、図３に示すように略直方体状の器体５を備え、従来周知の埋込型配線器具と同様に、器体５の後部側を壁内に埋め込む形で当該壁に取り付けられるものである。この操作端末器１は、後部側が壁内に埋め込む形で当該壁に固定される本体ユニット６と、前部側が壁面から前方に突出する形で本体ユニット６の前面側に着脱自在に装着されるパネルユニット７とに分離可能になっている。また、操作端末器１の内部回路は、本体ユニット６とパネルユニット７とに分割して組み込まれており、本実施形態では内部電源を生成する後述の電源回路１０と通信回路１１とを本体ユニット６側に組み込み、その他の回路（上述した表示パネル２、操作入力部３およびメインマイコン１２を含む）をパネルユニット７側に組み込んでいる。
【００２３】
本体ユニット６は、前面に矩形状の開口部を有する箱状に形成された本体ボディ６１と、本体ボディ６１の前面に覆着される本体カバー６２とで構成される本体ケース６０を備えており、この本体ケース６０には種々の電気部品が実装された回路基板（図示せず）が収納されている。また、本体ユニット６には、リモコントランス１４０の出力端に接続された電源線が接続される接続端子Ｔ１，Ｔ１と、信号線Ｌｓが接続される接続端子Ｔ２，Ｔ２とが背面側に設けられている（図５（ａ）（ｂ）参照）。
【００２４】
パネルユニット７は、前面に矩形状の開口部を有する薄箱状に形成されたパネルボディ７１と、パネルボディ７１の前面に覆着されるパネルカバー７２とで構成されるパネルケース７０を備えており、このパネルケース７０にはメインマイコン１２などの種々の電気部品が実装された回路基板（図示せず）が収納されている。また、パネルケース７０の前面における略中央部には矩形状の表示窓７４が形成されており、上記の表示パネル２および操作入力部３がこの表示窓７４に対応する形で配置されている。さらに、パネルケース７０の前面において表示窓７４の下方には、機械スイッチ（図示せず）を操作するための操作部７５や、ＬＥＤ７７（図２参照）からの光を取り出すためのＬＥＤ窓７６が設けられている。なお、上記のＬＥＤ７７は、パネルユニット７への通電中であれば常時点灯し、室内が暗いときなどに操作端末器１の位置をユーザに表示するためのものである。また、上記の機械スイッチは、押操作に応じて操作入力部３の操作の有効／無効を切り替えるためのものである。
【００２５】
ここで、本実施形態の操作端末器１は、壁面からの器体５の突出量を小さく抑え、且つ一般に普及している埋込型配線器具との外観上の統一感を出すとともに、取り付けに用いる部材の低コスト化を図るために、壁内に設置された埋込型配線器具用の埋込ボックス（図示せず）を用いて壁に取り付けられる。
【００２６】
つまり、本体ユニット６は、壁面に設けた施工孔を通して前方から埋込ボックスに取り付けられるのであって、上述した本体ケース６０の後部側が埋込ボックス内に収納可能な形状および寸法に形成されている。そして、本実施形態では、埋込ボックスとして、１連用の取付枠（図示せず）を２個まで取付可能な大きさのものを使用している。ここに、１連用の取付枠とは、ＪＩＳで規格化された埋込型配線器具用の取付枠（大角形連用配線器具の取付枠）のことであり、１連用の取付枠が左右方向に２個連接された寸法を「２連用」と呼ぶ。すなわち、本実施形態の本体ユニット６は、２連用の埋込ボックスに取付可能な寸法に設定されている。
【００２７】
より具体的に説明すると、本体ケース６０は、上下方向における各端面から互いに離れる向きに延設された一対の取付片６３が連続一体に形成され、各取付片６３には、埋込ボックスに取り付けるための取付ねじを挿通させるボックス用孔６４がそれぞれ複数個（図３では２個）ずつ設けられている。また、各取付片６３には、上下方向において各ボックス用孔６４の外側の部位に、器体５の前端部の周囲に取付片６３を覆う形で取着される化粧プレート（図示せず）をねじ固定するためのプレート取付孔６５がそれぞれ設けられている。
【００２８】
ところで、本実施形態の操作端末器１では、上記の通信回路１１により取得した負荷状態（負荷Ｌの動作状態）が表示パネル２に表示され、且つ表示パネル２に表示された表示内容に関連付けられている操作入力部３の操作に応じた監視データを含む伝送信号を信号線Ｌｓに送出する。つまり、表示パネル２には監視制御対象となる各負荷Ｌの現在の動作状態が表示され、ユーザはこの表示内容に応じて操作入力部３を操作することで負荷Ｌを制御することが可能になる。
【００２９】
図４は、表示パネル２の画面上に表示された表示画面の一例であり、表示パネル２の画面上にはそれぞれ監視制御対象である負荷Ｌに対応する複数の操作ボタンｄ１〜ｄ８が表示され、ユーザは操作入力部３のうち表示パネル２に表示された各操作ボタンｄ１〜ｄ８に対応する位置に触れることで負荷制御のための入力操作を行うことができる。例えば、「負荷Ａ１」と表記された操作ボタンｄ１に触れることで、負荷Ａ１のオン／オフを切り替えることができるのである。また、各操作ボタンｄ１〜ｄ８はそれぞれ対応する負荷Ｌの負荷状態を表示できるようになっており、ここでは負荷Ｌがオフの状態だと左端に設けたオフマークＭｏｆｆが緑色に点灯し、負荷Ｌがオンの状態だと右端に設けたオンマークＭｏｎが赤色に点灯する。
【００３０】
ここにおいて、操作端末器１は多数の負荷Ｌを監視制御対象としており、全ての負荷Ｌに対応する操作ボタンを表示パネル２の１画面上に表示すると、各操作ボタンのサイズが小さくなって負荷状態の表示が見にくくなったり、操作しにくくなったりする可能性がある。そこで、本実施形態では、表示パネル２の１画面当たりの操作ボタンの表示量を比較的少なくし、画面の表示内容を切り替えることで多数の負荷Ｌに対応する操作ボタンが表示できるようになっている。つまり、監視制御対象となる負荷Ｌは複数の負荷群に分類され、表示パネル２の１画面中には各負荷群ごとに負荷状態が表示され、画面右端部に表示されるタブＴａ〜Ｔｃを操作することによって表示対象となる負荷群が切り替えられるようになっている。
【００３１】
なお、負荷群の分類に関しては、例えば負荷Ｌの設置されている部屋や負荷Ｌの種類などに基づいて、関連性のある負荷同士を同一の負荷群に分類するのが望ましい。本実施形態では、負荷Ｌの設置されているエリアＡ，Ｂ，Ｃごとに異なる負荷群に分類し、「エリアＡ」のタブＴａが選択されている状態ではエリアＡに設置されている負荷Ａ１〜Ａ８の負荷状態が表示され、同様に「エリアＢ」、「エリアＣ」の各タブＴｂ，Ｔｃが選択されている状態ではそれぞれのエリアに設置されている負荷Ｌの負荷状態が表示されることになる。
【００３２】
ここで、本実施形態の操作端末器１では、図１に示すように、内部電源を生成する電源回路１０として、信号線Ｌｓを介して入力される伝送信号から上記内部電源を生成する電源回路（第１の電源回路部）１０Ａと、リモコントランス１４０を介して供給される交流電源（ＡＣ２４Ｖ）から上記内部電源を生成する電源回路（第２の電源回路部）１０Ｂとを備えている。そして、図５（ａ）（ｂ）に示すように、本体ユニット６の背面側に設けられたスライドスイッチからなる切替スイッチ（電源切替手段）８によって電源回路１０Ａまたは電源回路１０Ｂの何れか一方に電源が切り替えられるようになっている。
【００３３】
例えば、図５（ａ）に示すように切替スイッチ８を上側にスライドさせると、当該切替スイッチ８の操作に連動する形で接点８Ａがオンになるとともに接点８Ｂがオフになり、電源回路１０Ａが選択される。一方、図５（ｂ）に示すように切替スイッチ８を下側にスライドさせると、同様に切替スイッチ８の操作に連動する形で接点８Ａがオフになるとともに接点８Ｂがオンになり、電源回路１０Ｂが選択される。そして、選択された電源回路１０Ａ（または電源回路１０Ｂ）で生成された内部電源は、電源出力部１０Ｃからメインマイコン１２や液晶モジュール４などに供給される。なお、本実施形態では、上述の表示パネル２、操作入力部３、液晶コントローラ１５、コントラスト調整部１７およびバックライト用インバータ回路１８により液晶モジュール４が構成されている。
【００３４】
ここにおいて、電源回路１０Ａにより内部電源を生成する場合には、図５（ａ）に示すように信号線Ｌｓを接続端子Ｔ２，Ｔ２に接続すればよく、また電源回路１０Ｂにより内部電源を生成する場合には、図５（ｂ）に示すように信号線Ｌｓを接続端子Ｔ２，Ｔ２に接続するとともに、リモコントランス１４０からの電源線を接続端子Ｔ１，Ｔ１に接続する必要がある。
【００３５】
而して、本実施形態によれば、同じ信号線Ｌｓに接続される他の端末器（本実施形態では操作端末器１１０や制御端末器１２０など）での消費電流が小さい場合には、信号線Ｌｓを介して入力される伝送信号から操作端末器１に必要な内部電源を生成することができるので、この場合には操作端末器１に電源を供給するためのリモコントランス１４０が不要になり、その結果リモコントランス１４０を配置するためのスペース確保が不要になるとともに、リモコントランス１４０への電源線を引き込む作業も不要になるから、分電盤の小型化が図れるとともに施工工数を低減することができる。また、同じ信号線Ｌｓに接続される他の端末器での消費電流が大きく、信号線Ｌｓを介して入力される伝送信号からは操作端末器１に必要な内部電源が生成できない場合であっても、切替スイッチ８によってリモコントランス１４０による電源供給に容易に切り替えることができる。さらに、既存のシステムに対して操作端末器１に交換する場合において、例えばリモコントランス１４０用の電源線が引き込まれていなくても、切替スイッチ８によって伝送信号からの電源供給に切り替えることで置き換えも容易に行うことができる。
【００３６】
なお、本実施形態では、スライドスイッチからなる切替スイッチ８により電源回路１０Ａ，１０Ｂが切り替えられるようになっているが、電源切替手段は本実施形態に限定されるものではなく、例えば操作入力部３への入力操作に応じて電源回路１０Ａ，１０Ｂが切り替えられるようになっていてもよい。
【００３７】
（実施形態２）
本発明に係る操作端末器１の実施形態２を図６に基づいて説明する。実施形態１では、内部電源を生成するための電源回路として、電源回路１０Ａまたは電源回路１０Ｂに切り替えられるようにした点が特徴であるのに対し、本実施形態では上記構成を備えつつ、電源回路１０Ａを選択した場合において、信号線Ｌｓを介して入力される伝送信号から生成される直流電源の電圧レベルに応じて、後述する三端子レギュレータＩＣ２への入力電流を調整可能とした点が特徴である。なお、それ以外の構成については実施形態１と同様であり、同一の構成要素には同一の符号を付して説明は省略する。
【００３８】
本実施形態の操作端末器１は、信号線Ｌｓを介して入力される伝送信号から生成した直流電源を降圧する抵抗ドロップ回路と、この抵抗ドロップ回路により降圧された直流電源を所定電圧値の直流電源に変換する三端子レギュレータ（レギュレータ回路）ＩＣ２と、上記伝送信号から生成した直流電源の電圧レベルを検出し、検出した電圧レベルが所定の閾値よりも小さい場合には上記抵抗ドロップ回路のドロップ抵抗のインピーダンス値を、上記電圧レベルが所定の閾値以上である場合に比べて低いインピーダンス値に切り替えるインピーダンス切替手段とを主な構成要素とする電源回路１０Ａを備えている。
【００３９】
抵抗ドロップ回路は、抵抗Ｒ３〜Ｒ５が直列に接続された第１の直列回路と、抵抗Ｒ６，Ｒ７が直列に接続された第２の直列回路と、第１の直列回路に直列に接続されたツェナーダイオードＺＤ１と、ツェナーダイオードＺＤ１に並列に接続されたコンデンサＣ１とで構成され、第２の直列回路はトランジスタＱ１を介して第１の直列回路に並列に接続されている。なお、上記のツェナーダイオードＺＤ１は過電圧保護の機能も備えている。
【００４０】
また、インピーダンス切替手段は、信号線Ｌｓを介して入力される伝送信号を整流器ＤＢ１で整流することで生成した直流電源の電圧レベルを検出する電圧検出器ＩＣ１と、電圧検出器ＩＣ１の検出結果に応じてオン／オフされるトランジスタＱ１，Ｑ２とで構成され、本実施形態の電圧検出器ＩＣ１は、上記の直流電源の電圧レベルとして、抵抗Ｒ１，Ｒ２の接続点における分圧レベルを検出している。そして、この分圧レベルが所定の閾値よりも小さい場合にはトランジスタＱ２をオンにするオン信号を出力し、所定の閾値以上である場合にはオン信号を出力しないように構成されている。
【００４１】
而して、この電源回路１０Ａでは、電圧検出器ＩＣ１において上記の分圧レベルが所定の閾値以上であると判断された場合にはトランジスタＱ１，Ｑ２はオフのままであるから、この場合、第１の直列回路（抵抗Ｒ３〜Ｒ５）、ツェナーダイオードＺＤ１およびコンデンサＣ１が抵抗ドロップ回路を構成することになり、上記のドロップ抵抗のインピーダンス値は抵抗Ｒ３〜Ｒ５の合成インピーダンス値となる。すなわち、この場合には抵抗Ｒ３〜Ｒ５によりドロップ抵抗が構成されることになる。
【００４２】
一方、電圧検出器ＩＣ１において上記の分圧レベルが所定の閾値よりも小さいと判断された場合には電圧検出器ＩＣ１からのオン信号によりトランジスタＱ１，Ｑ２がオンになり、この場合、第１の直列回路と第２の直列回路の並列回路（抵抗Ｒ３〜Ｒ５と抵抗Ｒ６，Ｒ７の並列回路）、ツェナーダイオードＺＤ１およびコンデンサＣ１が抵抗ドロップ回路を構成することになり、上記のドロップ抵抗のインピーダンス値は抵抗Ｒ３〜Ｒ７の合成インピーダンス値となる。すなわち、この場合には抵抗Ｒ３〜Ｒ７によりドロップ抵抗が構成されることになる。ここで、抵抗Ｒ３〜Ｒ５からなる第１の直列回路と、抵抗Ｒ６，Ｒ７からなる第２の直列抵抗は並列に接続されるので、ドロップ抵抗全体のインピーダンス値は、第１の直列回路のみの場合に比べて相対的に低くなる。
【００４３】
ここにおいて、内部電源を生成する三端子レギュレータＩＣ２への入力電圧（図６中の端子ＩＮへの入力電圧）は、電源回路１０Ａへの入力電圧よりも低く設定されているため、所定の電圧レベルまで降圧する必要があり、本実施形態では上述したドロップ抵抗により降圧するのであるが、例えば伝送ユニット１００から操作端末器１までの距離が長く電源回路１０Ａに入力される伝送信号の信号レベルが低くなった場合には、ドロップ抵抗が一定であると三端子レギュレータＩＣ２への入力電流が小さくなることから所望の内部電源が得られない可能性がある。
【００４４】
そこで、本実施形態では、上述したように、電圧検出器ＩＣ１において上記の分圧レベルを検出し、この分圧レベルが所定の閾値よりも小さいと判断された場合には、ドロップ抵抗のインピーダンス値を相対的に低いインピーダンス値に切り替えることで三端子レギュレータＩＣ２への入力電流の低下を抑制できるようになっており、その結果、三端子レギュレータＩＣ２により所望の内部電源を確保できるのである。
【００４５】
ここにおいて、本実施形態では、上記のドロップ抵抗における熱損失と、三端子レギュレータＩＣ２における熱損失とのバランスを取ることによってトータルの熱損失を低減できるように、抵抗Ｒ３〜Ｒ７の抵抗値が設定されている。
【００４６】
而して、本実施形態によれば、電源回路１０Ａでは、抵抗ドロップ回路のドロップ抵抗における熱損失と、三端子レギュレータＩＣ２における熱損失とのバランスを取ることによってトータルの熱損失を低減できるように上記ドロップ抵抗の抵抗値が設定されているが、例えば伝送ユニット１００から操作端末器１までの距離が長く、その間の配線抵抗によって操作端末器１に入力される伝送信号の信号レベルが低下した場合には、上記ドロップ抵抗のインピーダンス値を相対的に低いインピーダンス値に切り替えることで、同様に熱損失の低減を図りつつ三端子レギュレータＩＣ２への入力電流の低下を抑えることができるので、操作端末器１に必要な所望の内部電源を確保することができる。
【００４７】
なお、本実施形態では、第１および第２の直列回路とツェナーダイオードＺＤ１とコンデンサＣ１とで抵抗ドロップ回路を構成しているが、抵抗ドロップ回路の構成は本実施形態に限定されるものではなく、電源回路１０Ａに入力される伝送信号の信号レベルが低いときにインピーダンス値を低くできるような構成であれば他の構成でもよい。また、本実施形態では、電圧検出器ＩＣ１およびトランジスタＱ１，Ｑ２によりインピーダンス切替手段を構成しているが、インピーダンス切替手段についても本実施形態に限定されるものではない。さらに、抵抗ドロップ回路とインピーダンス切替手段とが一体になったものでもよい。
【符号の説明】
【００４８】
１  操作端末器
２  表示パネル
３  操作入力部
８  切替スイッチ（電源切替手段）
１０Ａ  電源回路（第１の電源回路部）
１０Ｂ  電源回路（第２の電源回路部）
１１  通信回路（伝送通信部）
１００  伝送ユニット
１１０  操作端末器
１２０  制御端末器
１４０  リモコントランス
Ｌ  負荷
Ｌｓ  信号線
【図１】
2010232913.tif 000003
【図２】
2010232913.tif 000004
【図３】
2010232913.tif 000005
【図４】
2010232913.tif 000006
【図５】
2010232913.tif 000007
【図６】
2010232913.tif 000008
【図７】
2010232913.tif 000009